【手続補正書】
【提出日】平成17年5月30日(2005.5.30)
【手続補正１】
【補正対象書類名】明細書
【補正対象項目名】特許請求の範囲
【補正方法】変更
【補正の内容】
【特許請求の範囲】
【請求項１】
磁気記録媒体と、
記録磁極と該記録磁極を励磁し前記磁気記録媒体に情報を記録できる磁界を発生させる励磁コイルを備えた磁気ヘッドと、
上位装置からの記録命令と記録データとを受領する端子と、
ヘッドアンプとを有し、
前記ヘッドアンプは、前記記録データを受領後、前記磁気ヘッドが該データの記録を開始する前に、前記励磁コイルに電流を流すことを特徴とする磁気記録装置。
【請求項２】
磁気記録媒体と、
記録磁極と該記録磁極を励磁し前記磁気記録媒体に情報を記録できる磁界を発生させる励磁コイルを備えた磁気ヘッドと、
ライトゲートを備えたヘッドアンプと、
上位装置からの信号を受領する端子と、
該端子に接続されたハードディスクコントローラと、
アクチュエータとを有し、
前記アクチュエータは、前記端子が上位装置からの記録命令を受領後に、前記ハードディスクコントローラによって指定される記録媒体上のトラックへ前記磁気ヘッドを移動し、
前記ヘッドアンプは、前記磁気ヘッドの移動後、前記記録データが記録されるセクタアドレスに該磁気ヘッドが記録動作を開始する前に、前記ライトゲートを開くことを特徴とする磁気記録装置。
【請求項３】
磁気記録媒体と、
記録磁極と該記録磁極を励磁し前記磁気記録媒体に情報を記録できる磁界を発生させる励磁コイルを備えた磁気ヘッドと、
上位装置からの信号を受領する端子と、
該端子に接続されたハードディスクコントローラと、
アクチュエータとを有し、
前記アクチュエータは、前記端子が上位装置からの記録命令を受領後に、前記ハードディスクコントローラによって指定される記録媒体上のトラックへ、前記磁気ヘッドを移動し、
前記励磁コイルには、前記磁気ヘッドの移動後、前記記録データが記録されるセクタアドレスに到達する前に、記録電流が到達していることを特徴とする磁気記録装置。
【請求項４】
請求項１に記載の磁気記録装置において、温度計測手段を備え、前記ヘッドアンプは、該温度計測手段により観測された温度が所定値以下の場合には、前記記録データを受領後、前記磁気ヘッドが該データの記録を開始する前に、前記磁気ヘッドの励磁コイルに電流を流すことを特徴とする磁気記録装置。
【請求項５】
請求項４に記載の磁気記録装置において、前記温度計測手段により計測された温度が所定値より大きい場合には、前記ヘッドアンプは、前記磁気ヘッドが前記記録データが記録されるセクタアドレスに到達した時に前記励磁コイルに記録電流が到達しているタイミングで、前記励磁コイルに対し電流を流すことを特徴とする磁気記録装置。
【請求項６】
請求項４に記載の磁気記録装置において、ヘッドアンプを備え、前記温度計測手段により計測された温度に応じて、該ヘッドアンプから励磁コイルに伝送する記録電流強度を変えることを特徴とする磁気記録装置。
【請求項７】
請求項１に記載の磁気記録装置において、計時手段を備え、前記磁気記録媒体への書き込みが、所定時間以上行われなかった場合、前記ヘッドアンプは、前記記録データを受領後、前記磁気ヘッドが該データの記録を開始する前に、前記磁気ヘッドの励磁コイルに電流を流すことを特徴とする磁気記録装置。
【請求項８】
磁気記録媒体と、
記録磁極と該記録磁極を励磁し前記磁気記録媒体に情報を記録できる磁界を発生させる励磁コイルを備えた磁気ヘッドと、
ヘッドアンプと、
上位装置からの信号を受領する端子とを有し、
前記ヘッドアンプは、前記端子が前記上位装置からの記録命令を受領した後に、前記上位装置からの記録データに疑似データを付加した記録電流を生成し、前記記録素子に送信することを特徴とする磁気記録装置。
【請求項９】
磁気記録媒体と、該磁気記録媒体へ情報を記録する手段と、該記録手段に記録電流を送信する手段と、上位装置からの信号を受領する手段と、該端子からの信号を受領し、更に前記記録電流の送信手段を制御する手段とを有し、
前記送信手段は、前記信号受領手段が上位装置からの記録命令を受領した後に、前記信号受領手段で受領した上位装置からの記録データと、疑似データとに対応する記録電流を生成し、前記記録手段に送信することを特徴とする磁気記録装置。
【請求項１０】
請求項８に記載の磁気記録装置において、前記疑似データのみが記録されるダミートラックを備えたことを特徴とする磁気記録装置。
【請求項１１】
請求項８に記載の磁気記録装置において、温度計測手段を備え、前記ヘッドアンプは、該温度計測手段により観測された温度が所定値以下の場合には、記録データに疑似データを付加した記録電流を生成することを特徴とする磁気記録装置。
【請求項１２】
請求項８に記載の磁気記録装置において、温度計測手段と、ヘッドアンプと備え、該温度計測手段により計測された温度に応じて、該ヘッドアンプから励磁コイルに伝送する記録電流強度を変えることを特徴とする磁気記録装置。
【請求項１３】
請求項８に記載の磁気記録装置において、計時手段を備え、前記磁気記録媒体への書き込みが、所定期間以上行われなかった場合、前記ヘッドアンプは、該温度計測手段により観測された温度が所定値以下の場合には、記録データに疑似データを付加した記録電流を生成することを特徴とする磁気記録装置。
【請求項１４】
請求項８に記載の磁気記録装置において、前記疑似データが記録されるデータセクタに記録されていたデータを格納するメモリを備えたことを特徴とする磁気記録装置。
【請求項１５】
請求項１４に記載の磁気記録装置において、前記メモリが不揮発性メモリであることを特徴とする磁気記録装置。
【請求項１６】
請求項８に記載の磁気記録装置において、ハードディスクコントローラを備え、
該ハードディスクコントローラは、前記記録電流を励磁コイルへ送信する前に、前記疑似データが記録されるセクタアドレスに記録されているデータを磁気ヘッドにより読み出し、
該読み出したデータを前記メモリに格納し、
前記記録データに疑似データが付加された情報が記録媒体に記録された後、前記メモリに格納された情報を、読み出す前と同一のセクタアドレスに記録することを特徴とする磁気記録装置。
【請求項１７】
励磁コイルを有する磁気ヘッドと、磁気記録媒体と、上位装置とのデータ伝送手段と、ヘッドアンプとを備えた磁気記録装置の記録制御方法において、
上位機種から記録命令と記録データとを受領するステップと、
該記録命令の受領後、該データに対応する記録電流を前記磁気ヘッドに伝送する前に、前記磁気ヘッドの励磁コイルに電流を流すステップとを含むことを特徴とする磁気記録装置の制御方法。
【請求項１８】
励磁コイルを備えた磁気ヘッドと、磁気記録媒体と、ライトゲートを備えたヘッドアンプと、上位装置からの信号を受領する端子と、ハードディスクコントローラと、アクチュエータとを有する磁気記録装置の記録制御方法において、
上位装置から送信された記録データとを受領するステップと、
前記磁気ヘッドを、前記ハードディスクコントローラによって指定される記録媒体上のトラックへ移動するステップと、
前記磁気ヘッドが前記トラックへ移動した後、前記記録データに対応する記録電流波形が磁気ヘッドに到達している前に、前記ライトゲートを開くステップとを含む磁気記録装置の記録制御方法。
【請求項１９】
請求項１７に記載の磁気記録装置の制御方法において、
磁気記録装置の設置場所の温度を測定するステップを有し、
該測定された温度が所定値よりも低い場合は、該温度計測手段により観測された温度が所定値以下の場合には、請求項１５に記載の各ステップ実行することを特徴とする磁気記録装置の制御方法。
【請求項２０】
請求項１７に記載の磁気記録装置の制御方法において、
前回記録動作が実行された時刻と、現在の時刻との時間差を計測するステップを有し、該時間差が所定値より大きい場合には、請求項１５に記載の各ステップ実行することを特徴とする磁気記録装置の制御方法。
【請求項２１】
磁気ヘッドと、磁気記録媒体と、上位装置とのデータ伝送手段と、ヘッドアンプとを備えた磁気記録装置の記録制御方法において、
上位機種から記録命令と記録データとを受領するステップと、
前記ヘッドアンプで、前記記録データと疑似データとに対応した信号電流を生成するステップと、
前記磁気ヘッドに前記信号電流を伝送するステップとを含むことを特徴とする磁気記録装置の記録制御方法。
【請求項２２】
請求項２１に記載の磁気記録装置の記録制御方法において、
前記記録装置の設置場所の温度を測定するステップを有し、前記温度が所定値よりも低い場合は、前記記録データに疑似データを付加した信号電流を生成するステップを実行することを特徴とする磁気記録装置の記録制御方法。
【請求項２３】
請求項２１に記載の磁気記録装置の記録制御方法において、
前回記録動作を行った時刻と今回上位装置から記録命令を受けた時刻との時間差を計測するステップを含み、該時間差が所定値よりも大きい場合には、前記記録データと疑似データとに対応した信号電流を生成するステップを実行することを特徴とする磁気記録装置の記録制御方法。
【請求項２４】
請求項２１に記載の磁気記録装置の記録制御方法において、
前記疑似データが記録されるデータセクタに既に記録されているデータをメモリに格納するステップを含むことを特徴とする磁気記録装置の制御方法。
【請求項２５】
データトラックと疑似データトラックを有する磁気記録媒体と、磁気ヘッドと、上位装置とのデータ伝送手段と、ヘッドアンプとを備えた磁気記録装置の記録制御方法において、
上位機種から記録命令と記録データとを受領するステップと、
前記ヘッドアンプで、疑似データの信号電流を生成するステップと、
前記磁気ヘッドを前記疑似データトラックに移動するステップと、
疑似データを疑似データトラックへ記録するステップと、
前記データトラックに前記磁気ヘッドを移動するステップと、
前記ヘッドアンプで、前記記録データの信号電流を生成するステップと、
前記磁気ヘッドを前記データトラックに移動するステップと、
前記記録データを前記データトラックへ記録するステップとを有することを特徴とする磁気記録装置の記録制御方法。